(57)【要約】【課題】大量に蓄積された同報電子メールから目的とする同報電子メールを効率的に検索すること。【解決手段】電子メール送受信装置は、電子メール送受信装置によって検索されてユーザによって参照された同報電子メールに付与されている同報メール識別番号を検索結果情報として同報電子メールサーバ装置に送信し、同報電子メールサーバ装置は、同報メール識別番号に対応付けて、同報電子メールが参照された回数を示す参照回数を記憶し、電子メール送受信装置から検索結果情報として識別番号を受信した場合に、当該同報メール識別番号に対応する参照回数を更新して記憶し、記憶する参照回数に応じて、同報メール識別番号に対応する同報電子メールの内容を電子メール送受信装置に送信する。【選択図】        図１
2008141420.tif 000002
【特許請求の範囲】
【請求項１】
電子メールを送受信するとともに、受信した前記電子メールを蓄積し、蓄積した前記電子メールから目的とする前記電子メールを検索する電子メール送受信装置と、同じ内容の前記電子メールが複数の人に同時に配信される同報電子メールを受信して、当該同報電子メールを一意に特定できる識別番号を付与して複数の前記電子メール送受信装置へ送信する同報電子メールサーバ装置とを含んで構成されるメール検索システムであって、
前記電子メール送受信装置は、
前記電子メール送受信装置によって検索されてユーザによって参照された前記同報電子メールに付与されている前記識別番号を検索結果情報として前記同報電子メールサーバ装置に送信する検索結果情報送信手段を備え、
前記同報電子メールサーバ装置は、
前記識別番号に対応付けて、前記同報電子メールが参照された回数を示す参照回数を記憶する参照回数記憶手段と、
前記検索結果情報送信手段によって前記電子メール送受信装置から前記検索結果情報として前記識別番号を受信した場合に、前記参照回数記憶手段が記憶する当該識別番号に対応する参照回数を更新して記憶する参照回数管理手段と、
前記参照回数記憶手段が記憶する前記参照回数に応じて、前記識別番号に対応する前記同報電子メールの内容を前記電子メール送受信装置に送信する内容送信手段と、
を備えたことを特徴とするメール検索システム。
【請求項２】
前記電子メール送受信装置は、
前記同報電子メールの属性情報とともに前記参照回数に係る情報を対応付けて並べた一覧表を前記同報電子メールサーバ装置に要求する一覧表要求手段と、
前記一覧表要求手段による要求に応じて前記同報電子メールサーバ装置から取得した前記一覧表を出力し、所定の前記同報電子メールが指定された場合に、当該指定された同報電子メールの内容を前記同報電子メールサーバ装置に要求する内容要求手段とをさらに備え、
前記同報電子メールサーバ装置は、
前記一覧表要求手段による前記電子メール送受信装置からの要求に応じて、前記一覧表を当該電子メール送受信装置に送信する一覧表送信手段をさらに備え、
前記内容送信手段は、前記内容要求手段による前記電子メール送受信装置からの要求に応じて、前記指定された同報電子メールの内容を当該電子メール送受信装置に送信することを特徴とする請求項１に記載のメール検索システム。
【請求項３】
前記参照回数管理手段は、前記内容要求手段から前記指定された同報電子メールの内容の要求を受信した場合にも、当該指定された同報電子メールの識別番号に対応する参照回数を更新して記憶することを特徴とする請求項２に記載のメール検索システム。
【請求項４】
前記同報電子メールサーバ装置は、前記同報電子メールを前記電子メール送受信装置に送信する際に、前記検索結果情報を前記同報電子メールサーバ装置に前記電子メール送受信装置から返信するための検索結果送信用アドレスをさらに付加して送信し、
前記検索結果情報送信手段は、前記検索結果送信用アドレスを用いて前記検索結果情報を前記同報電子メールサーバ装置に送信することを特徴とする請求項３に記載のメール検索システム。
【請求項５】
前記参照回数記憶手段は、前記属性情報として、前記同報電子メールの有効期限をさらに保持し、
前記検索結果情報送信手段は、前記ユーザによって指定された前記有効期限を前記検索結果情報として前記識別番号とともに送信し、
前記参照回数管理手段は、前記検索結果情報送信手段によって電子メール送受信装置が送信した前記検索結果情報を受信した場合に、前記識別番号に該当する前記同報電子メールの前記一覧表における前記参照回数を更新するとともに、前記有効期限を付加して更新することを特徴とする請求項３に記載のメール検索システム。
【発明の詳細な説明】
【技術分野】
【０００１】
この発明は、メール検索システム、メール検索方法およびメール検索プログラムに関する。
【背景技術】
【０００２】
従来より、ネットワークの発達により、共有したい情報は、グループウェアやホームページ上の掲示板等に公開されることが、一般的に行なわれるようになっているが、業務用の連絡や情報公開は、依然として、インターネット電子メール（以下、電子メールと記す）の中でも同報電子メールが利用される。ここで、同報電子メールとは、同じ内容のメールが複数の人に同時に配信される電子メールであり、特定の話題に関心を持つグループ（以下、同報メールコミュニティと記す）で情報共有を行なう場合に利用される。
【０００３】
同報電子メールが、情報の共有手段として共有Ｗｅｂ掲示板等と比べ、依然として優位性を有する要因としては、電子メールを送受信するためのアプリケーションソフトウェアであるメーラーにより一度受信を行った電子メールであれば、受信した電子メールの内容を再び参照する場合に、ネットワークへの接続（Ｗｅｂサーバのようなサーバコンピュータとの接続）を必要としない、また、メーラーは機能が豊富なため、他アプリケーションとの機能連携がよく、受信した電子メールの加工や検索作業においては、個人利用のコンピュータ端末（以下、個人端末と記す）の性能をフルに利用できる、などが挙げられる。
【０００４】
このような優位性に基づいて同報電子メールが多用されることから、例えば、会社内にある個人端末上には、様々な部署から大量の同報電子メールが蓄積されることとなり、その中から目的とする重要な情報が記載された同報電子メールを再度参照するために、個人端末のユーザは、メーラーの持つ検索機能に「日付／発信者／同報メールコミュニティ名／フリーキーワード」などを入力して重要な同報電子メールを検索することになり、効率的なメール検索システムの開発が要望されている。
【０００５】
例えば、特許文献１では、ユーザごとに送受信した電子メールの内容を、キーワード（例えば、「〜の日程連絡」）に従って分類してデータベース化することで、検索作業の効率化を図る技術を開示している。また、特許文献２では、携帯電話機のブラウザによって電子メールを文字数制限なく閲覧できるようにすることで、例えば、ユーザがどこに居ても個人端末が受信した電子メールを携帯電話機に転送してこれを閲覧することによって電子メールの受信を効率化する技術を開示している。
【０００６】
【特許文献１】特開２００１−８４１９３号公報
【特許文献２】特開２００１−３３１４２７号公報
【発明の開示】
【発明が解決しようとする課題】
【０００７】
ところで、上記した従来の技術は、目的とする重要な情報が記載された電子メールを検索する際に、ユーザがキーワードを考えて検索することには代わりがないので、大量に蓄積された電子メールから目的とする電子メールを検索する場合に、検索効率が悪いという問題点があった。
【０００８】
また、一般に同報メールコミュニティに属するメンバ（以下、メンバと記す）は、業務を共同で行なっていたり、あるいは同一テーマにメンバ全員が関心のあるコミュニティであるので、同じ同報メールコミュニティにおいて、ある時点で重要とされる情報が記載された電子メールは、当該メンバ全員が同時期に重要とする同報電子メールである可能性が高い。しかしながら、上記した従来の技術では、個々のメンバが各自個人端末上のメーラーで検索しなければならないので、大量に蓄積された同報電子メールから目的とする同報電子メールを効率的に検索する場合に、検索効率が悪いという問題点があった。
【０００９】
そこで、この発明は、上述した従来技術の課題を解決するためになされたものであり、大量に蓄積された同報電子メールから目的とする同報電子メールを効率的に検索することが可能になるメール検索システム、メール検索方法およびメール検索プログラムを提供することを目的とする。
【課題を解決するための手段】
【００１０】
上述した課題を解決し、目的を達成するため、請求項１に係る発明は、電子メールを送受信するとともに、受信した前記電子メールを蓄積し、蓄積した前記電子メールから目的とする前記電子メールを検索する電子メール送受信装置と、同じ内容の前記電子メールが複数の人に同時に配信される同報電子メールを受信して、当該同報電子メールを一意に特定できる識別番号を付与して複数の前記電子メール送受信装置へ送信する同報電子メールサーバ装置とを含んで構成されるメール検索システムであって、前記電子メール送受信装置は、前記電子メール送受信装置によって検索されてユーザによって参照された前記同報電子メールに付与されている前記識別番号を検索結果情報として前記同報電子メールサーバ装置に送信する検索結果情報送信手段を備え、前記同報電子メールサーバ装置は、前記識別番号に対応付けて、前記同報電子メールが参照された回数を示す参照回数を記憶する参照回数記憶手段と、前記検索結果情報送信手段によって前記電子メール送受信装置から前記検索結果情報として前記識別番号を受信した場合に、前記参照回数記憶手段が記憶する当該識別番号に対応する参照回数を更新して記憶する参照回数管理手段と、前記参照回数記憶手段が記憶する前記参照回数に応じて、前記識別番号に対応する前記同報電子メールの内容を前記電子メール送受信装置に送信する内容送信手段と、を備えたことを特徴とする。
【００１１】
また、請求項２に係る発明は、上記の発明において、前記電子メール送受信装置は、前記同報電子メールの属性情報とともに前記参照回数に係る情報を対応付けて並べた一覧表を前記同報電子メールサーバ装置に要求する一覧表要求手段と、前記一覧表要求手段による要求に応じて前記同報電子メールサーバ装置から取得した前記一覧表を出力し、所定の前記同報電子メールが指定された場合に、当該指定された同報電子メールの内容を前記同報電子メールサーバ装置に要求する内容要求手段とをさらに備え、前記同報電子メールサーバ装置は、前記一覧表要求手段による前記電子メール送受信装置からの要求に応じて、前記一覧表を当該電子メール送受信装置に送信する一覧表送信手段をさらに備え、前記内容送信手段は、前記内容要求手段による前記電子メール送受信装置からの要求に応じて、前記指定された同報電子メールの内容を当該電子メール送受信装置に送信することを特徴とする。
【００１２】
また、請求項３に係る発明は、上記の発明において、前記参照回数管理手段は、前記内容要求手段から前記指定された同報電子メールの内容の要求を受信した場合にも、当該指定された同報電子メールの識別番号に対応する参照回数を更新して記憶することを特徴とする。
【００１３】
また、請求項４に係る発明は、上記の発明において、前記同報電子メールサーバ装置は、前記同報電子メールを前記電子メール送受信装置に送信する際に、前記検索結果情報を前記同報電子メールサーバ装置に前記電子メール送受信装置から返信するための検索結果送信用アドレスをさらに付加して送信し、前記検索結果情報送信手段は、前記検索結果送信用アドレスを用いて前記検索結果情報を前記同報電子メールサーバ装置に送信することを特徴とする。
【００１４】
また、請求項５に係る発明は、上記の発明において、前記参照回数記憶手段は、前記属性情報として、前記同報電子メールの有効期限をさらに保持し、前記検索結果情報送信手段は、前記ユーザによって指定された前記有効期限を前記検索結果情報として前記識別番号とともに送信し、前記参照回数管理手段は、前記検索結果情報送信手段によって電子メール送受信装置が送信した前記検索結果情報を受信した場合に、前記識別番号に該当する前記同報電子メールの前記一覧表における前記参照回数を更新するとともに、前記有効期限を付加して更新することを特徴とする。
【発明の効果】
【００１５】
請求項１の発明によれば、電子メール送受信装置は、電子メール送受信装置によって検索されてユーザによって参照された同報電子メールに付与されている識別番号を検索結果情報として同報電子メールサーバ装置に送信し、同報電子メールサーバ装置は、識別番号に対応付けて、同報電子メールが参照された回数を示す参照回数を記憶し、電子メール送受信装置から検索結果情報として識別番号を受信した場合に、記憶する当該識別番号に対応する参照回数を更新して記憶し、記憶する参照回数に応じて、識別番号に対応する同報電子メールの内容を電子メール送受信装置に送信するので、参照回数に応じて同報電子メールの内容がメンバに送信されることで、大量に蓄積された同報電子メールから目的とする同報電子メールを効率的に検索することが可能になる。
【００１６】
また、請求項２の発明によれば、電子メール送受信装置は、同報電子メールの属性情報とともに参照回数に係る情報を対応付けて並べた一覧表を同報電子メールサーバ装置に要求し、要求に応じて同報電子メールサーバ装置から取得した一覧表を出力し、所定の同報電子メールが指定された場合に、当該指定された同報電子メールの内容を同報電子メールサーバ装置に要求し、同報電子メールサーバ装置は、電子メール送受信装置からの要求に応じて、一覧表を当該電子メール送受信装置に送信し、電子メール送受信装置からの要求に応じて、指定された同報電子メールの内容を当該電子メール送受信装置に送信するので、目的とする同報電子メールを検索したメンバの検索結果が参照回数に反映された一覧表を閲覧することで、大量に蓄積された同報電子メールから目的とする同報電子メールを効率的に検索することが可能になる。
【００１７】
また、請求項３の発明によれば、同報電子メールサーバ装置は、電子メール送受信装置から指定された同報電子メールの内容の要求を受信した場合にも、当該指定された同報電子メールの識別番号に対応する参照回数を更新して記憶するので、一覧表を閲覧して目的とする同報電子メールを検索したメンバの検索結果も反映された一覧表を閲覧することで、大量に蓄積された同報電子メールから目的とする同報電子メールを一層効率的に検索することが可能になる。
【００１８】
また、請求項４の発明によれば、同報電子メールサーバ装置は、同報電子メールを電子メール送受信装置に送信する際に、検索結果情報を同報電子メールサーバ装置に電子メール送受信装置から返信するための検索結果送信用アドレスをさらに付加して送信し、電子メール送受信装置は、検索結果送信用アドレスを用いて検索結果情報を同報電子メールサーバ装置に送信するので、同報電子メールサーバ装置に検索結果情報を記載した電子メールが直接届けられるとともに、同報電子メールサーバ装置は、受信した電子メールが同報電子メールなのか検索結果情報を記載した電子メールなのかを簡易に判定することができ、同報電子メールサーバ装置の構成および処理を効率化することが可能になる。
【００１９】
また、請求項５の発明によれば、同報電子メールサーバ装置は、属性情報として、同報電子メールの有効期限をさらに保持し、電子メール送受信装置は、ユーザによって指定された有効期限を検索結果情報として識別番号とともに送信し、同報電子メールサーバ装置は、電子メール送受信装置が送信した検索結果情報を受信した場合に、識別番号に該当する同報電子メールの一覧表における参照回数を更新するとともに、有効期限を付加して更新するので、目的とする同報電子メールを検索したメンバによって指定された有効期限が参照回数とともに反映された一覧表を閲覧することで、他のメンバはメンバ全員にとって重要な同報電子メールを有効期限内で検索して内容を確認することができ、大量に蓄積された同報電子メールから目的とする同報電子メールを一層効率的に検索することが可能になる。
【発明を実施するための最良の形態】
【００２０】
以下に添付図面を参照して、この発明に係るメール検索システム、メール検索方法およびメール検索プログラムの実施例を詳細に説明する。なお、以下では、実施例１におけるメール検索システムの構成および処理の手順、実施例１の効果を順に説明し、次に、実施例１と同様に、実施例２に係るメール検索システム、実施例３に係るメール検索システムについて順に説明する。
【実施例１】
【００２１】
［用語の説明］
まず最初に、以下の実施例で用いる主要な用語を説明する。以下の実施例で用いる「メール検索システム」とは、「電子メール送受信装置」が「同報電子メールサーバ装置」を介して受信して大量に蓄積した「同報電子メール」から、目的とする「同報電子メール」を検索するシステムのことである。つまり、このシステムは、複数の「電子メール送受信装置」と「同報電子メールサーバ装置」とがネットワーク（例えば、インターネットやＬＡＮ）を介して接続されることで構成される。
【００２２】
ここで、「同報電子メール」とは、特定の話題に関心を持つグループ（以下、同報メールコミュニティと記す）で情報共有を行なうために、同じ内容の電子メールが複数の人に、同時に配信される電子メールのことであり、例えば、総務部の「Ｘさん」は、「停電」情報を社員全員で共有したい場合に、自らが使用している「電子メール送受信装置」を操作して、「停電がある日時など」を「内容」とする「同報電子メール」を、「同報電子メール用の送信アドレス」を使用することにより、「同報電子メールサーバ装置」を介して、「同報メールコミュニティ」に属する「メンバ（この場合は、社員全員）」に送信する。
【００２３】
また、「電子メール送受信装置」とは、電子メールを送受信するとともに、受信した電子メールを蓄積し、蓄積した電子メールから目的とする電子メールを検索するなどの機能を備える装置のことであり、一般的には、アプリケーションソフトウェアである「メーラー」が組み込まれたパソコンや、携帯端末、ＰＨＳ、ＰＤＡなどのコンピュータ端末がこれに該当する。
【００２４】
また、「同報電子メールサーバ装置」とは、「同報電子メール用の送信アドレス」を使って「電子メール送受信装置」から送信された「同報電子メール」を受信し、「同報電子メール用の送信アドレス」に対応する「同報メールコミュニティ」に属する「メンバ」が所有する「電子メール送受信装置」に対して「同報電子メール」を一意に特定できる「同報メール識別番号」を付与して送信する装置である。すなわち、「同報電子メールサーバ装置」は、予め「同報電子メール用の送信アドレス」ごとに対応する「メンバ」全員の電子メールアドレスを記憶しており、これに基づいて、受信した「同報電子メール」を該当する「メンバ」に送信する。
【００２５】
［実施例１におけるメール検索システムの概要および特徴］
続いて、図１を用いて、実施例１におけるメール検索システムの主たる特徴を具体的に説明する。図１は、実施例１におけるメール検索システムの概要および特徴を説明するための図である。
【００２６】
実施例１におけるメール検索システムは、上記したような電子メール送受信装置と、同報電子メールサーバ装置とを含んで構成されることを概要とし、大量に蓄積された同報電子メールから目的とする同報電子メールを効率的に検索することが可能になることに主たる特徴がある。
【００２７】
この主たる特徴について簡単に説明すると、実施例１におけるメール検索システムを構成する同報電子メールサーバ装置は、上記のごとく、電子メール送受信装置が送信した同報電子メールを受信して、当該同報電子メールを複数の電子メール送受信装置へ送信し、その際、当該同報電子メールを一意に特定できる同報メール識別番号を付加して、当該同報電子メールを複数の電子メール送受信装置へ送信するが、さらに、後述する検索結果情報を同報電子メールサーバ装置に電子メール送受信装置から返信するための「検索結果送信用アドレス」も付加して送信する。なお、「同報メール識別番号」は、特許請求の範囲に記載の「識別番号」に対応する。
【００２８】
具体的には、図１の（Ａ）の（１）に示すように、総務部の「Ｘさん」（メールアドレスは、abcd@mail.com）が操作することにより、電子メール送受信装置は、社員全員をメンバとする「同報電子メール用の送信アドレス」（例えば、xx-xx-ml@ml.bb.aa.co.jp）を使って同報電子メールを送信すると、図１の（Ａ）の（２）に示すように、同報電子メールサーバ装置は、受信した同報電子メールの「同報電子メール用の送信アドレス：xx-xx-ml@ml.bb.aa.co.jp」に応じて登録されているメンバ全員の電子メール送受信装置へ送信する（この場合は、社員全員に送信する）。その際、同報電子メールサーバ装置は、当該同報電子メールを一意に特定できる同報メール識別番号（例えば、「００９０５」）とともに、後述する検索結果情報を同報電子メールサーバ装置に電子メール送受信装置から返信するための検索結果送信用アドレス（例えば、xx-xx-ml-search@ml.bb.aa.co.jp）とをさらに付加して、当該同報電子メールを複数の電子メール送受信装置へ送信する。
【００２９】
なお、同報電子メールサーバ装置は、送信済みの同報電子メールごとに、同報メール識別番号に対応付けて、「送信日時」などからなる「属性情報」および「記載されている文章」である「内容」を記憶し、「同報電子メール」を送信するごとに当該「同報電子メール」の「属性情報」および「内容」を更新する。
【００３０】
ここで、実施例１におけるメール検索システムを構成する電子メール送受信装置は、上記のごとく、受信して蓄積した同報電子メールから目的とする同報電子メールを検索する機能を有するが、さらに、検索されてユーザによって参照された場合に、同報電子メールに付与されている同報メール識別番号を検索結果情報として同報電子メールサーバ装置に検索結果送信用アドレスを用いて送信する機能を有する。具体的には、図１の（Ｂ）の（１）に示すように、例えば、社員「Ａさん」が、電子メール送受信装置が備える検索機能を利用して目的とする同報電子メール（例えば、「停電のお知らせ」を内容とする同報電子メール）の検索に成功して当該同報電子メールの内容を参照した場合に、図１の（Ｂ）の（２）に示すように、電子メール送受信装置は、当該同報電子メールに付与されていた「同報メール識別番号：００９０５」を検索結果情報として同報電子メールサーバ装置に検索結果送信用アドレス（例えば、xx-xx-ml-search@ml.bb.aa.co.jp）を用いて送信する。
【００３１】
そして、実施例１におけるメール検索システムを構成する同報電子メールサーバ装置は、同報メール識別番号に対応付けて、当該同報電子メールが参照された回数を示す参照回数を記憶し、電子メール送受信装置から検索結果情報として同報メール識別番号を受信した場合に、当該同報メール識別番号に対応する参照回数を更新して記憶する。具体的には、同報電子メールサーバ装置は、送信済みの「同報電子メール」の属性情報（例えば、「送信日時」、「送信者」、「サブジェクト（件名）」、「ファイル名（本文などからなる内容が記憶されているテキストファイルの名前）」など）とともに当該同報電子メールの「参照回数」を同報メール識別番号に対応付けて並べた一覧表を記憶しており、電子メール送受信装置から検索結果情報として同報メール識別番号を受信した場合に、当該同報メール識別番号に対応する参照回数を更新して記憶する。すなわち、図１の（Ｂ）の（３）に示すように、検索結果情報（「同報メール識別番号：００９０５」）を「検索結果送信用アドレス」によって受信した場合に、「同報メール識別番号：００９０５」の属性情報「参照回数」を「０」から「１」に更新する（図１の（Ｃ）を参照）。
【００３２】
そして、実施例１におけるメール検索システムを構成する電子メール送受信装置は、同報電子メールの属性情報とともに参照回数に係る情報を対応付けて並べた一覧表を同報電子メールサーバ装置に要求する機能を有する。例えば、社員「Ｂさん」が、社員「Ａさん」と同様に「停電のお知らせ」を内容とする同報電子メールを検索する場合、社員「Ａさん」のように、自身のメール送受信装置を操作して目的とする同報電子メールを検索するのではなく、図１の（Ｄ）の（１）に示すように、同報電子メールの属性情報とともに参照回数が記載されている一覧表を表示する要求を同報電子メールサーバ装置に送信する。
【００３３】
そして、実施例１におけるメール検索システムを構成する同報電子メールサーバ装置は、図１の（Ｄ）の（２）に示すように、電子メール送受信装置からの要求に応じて、参照回数を利用して順序を並べ替えた一覧表を当該電子メール送受信装置に送信する。例えば、図１の（Ｃ）に示す一覧表において、参照回数の多い順に並べ替えられて、「参照回数：１」である「同報メール識別番号：００９０５」を一列目に並べ替えられた一覧表を、社員「Ｂさん」がユーザである電子メール送受信装置に送信する。
【００３４】
そして、実施例１におけるメール検索システムを構成する電子メール送受信装置は、同報電子メールサーバ装置から取得した一覧表を出力し、所定の同報電子メールが指定された場合に、当該指定された同報電子メールの内容を同報電子メールサーバ装置に要求する機能を有する。例えば、図１の（Ｄ）の（３）に示すように、社員「Ｂさん」は、同報電子メールサーバ装置から取得した参照回数の多い順に並べ替えられた一覧表を参照して、目的とする同報電子メール（「サブジェクト：停電のお知らせ（７／２）」、「同報メール識別番号：００９０５」）の検索に成功して指定した場合に、当該指定された同報電子メールの内容を同報電子メールサーバ装置に要求する（図１の（Ｄ）の（４）を参照）。
【００３５】
そして、実施例１におけるメール検索システムを構成する同報電子メールサーバ装置は、参照回数に基づいて指定された同報電子メールの内容要求に応じて、図１の（Ｄ）の（５）に示すように、当該同報電子メールの内容を当該電子メール送受信装置に送信する。すなわち、図１の（Ｃ）に示す一覧表における「同報メール識別番号：００９０５」の「ファイル名：0100905.txt」に対応する「内容」を、社員「Ｂさん」がユーザである電子メール送受信装置に送信する。
【００３６】
そして、実施例１におけるメール検索システムを構成する同報電子メールサーバ装置は、指定された同報電子メールの内容の要求を受信した場合にも、当該指定された同報電子メールの識別番号に対応する参照回数を更新して記憶する（図１の（Ｄ）の（６）を参照）。すなわち、社員「Ｂさん」がユーザである電子メール送受信装置からの「同報メール識別番号：００９０５」の同報電子メールの内容の要求を受信した場合にも、「同報メール識別番号：００９０５」の属性情報「参照回数」を更新する。より具体的には、例えば、図１の（Ｃ）に示す一覧表において、「同報メール識別番号：００９０５」の属性情報「参照回数」を「１」から「２」に更新する（図１の（Ｅ）を参照）。
【００３７】
このようなことから、実施例１におけるメール検索システムは、参照回数に応じて同報電子メールの内容がメンバに送信されることで、大量に蓄積された同報電子メールから目的とする同報電子メールを効率的に検索することが可能になる。
【００３８】
［実施例１における電子メール送受信装置の構成］
次に、図２〜８を用いて、実施例１における電子メール送受信装置の構成を説明する。図２は、実施例１における電子メール送受信装置の構成を示すブロック図であり、図３は、実施例１における受信メール検索部による検索処理を説明するための図であり、図４は、実施例１における受信メール検索部による検索結果情報の送信処理を説明するための図であり、図５は、実施例１における検索結果情報の内容を説明するための図であり、図６は、実施例１における一覧表検索処理部を説明するための図であり、図７は、実施例１における重要メール一覧表記憶部を説明するための図であり、図８は、重要メール内容記憶部を説明するための図である。
【００３９】
図２に示すように、実施例１における電子メール送受信装置１０は、入力部１１と、出力部１２と、入出力制御Ｉ／Ｆ部１３と、記憶部１４と、制御部１５と、通信制御部１６とから構成される。なお、図２では、目的とする同報電子メールを検索して当該同報電子メールの同報メール識別番号を送信する機能と、一覧表を要求して、当該一覧表を参照して指定した同報電子メールの内容を要求して受信する機能とが同じコンピュータ端末に備わっている場合を説明するが、これらの機能が別々のコンピュータ端末に備わっている場合であってもよい。
【００４０】
入力部１１は、制御部１５による各種処理に用いるデータを入力する。具体的には、目的とする同報電子メールを検索するために「検索キーワード」をユーザから受け付けたり、一覧表の要求をユーザから受け付けたり、指定した同報電子メールの内容の要求をユーザから受け付けたりする。なお、入力部１１は、キーボードや、タッチパネルを備えており、これにより「検索キーワード」入力や、「一覧表」もしくは「内容」の要求を受け付けるようにしている。
【００４１】
出力部１２は、制御部１５による各種処理の結果を出力する。具体的には、後述する受信メール検索部１５ａの「検索結果」や、後述する一覧表検索処理部１５ｂの要求によって取得された「一覧表」や、指定した同報電子メールの「内容」を出力したりする。なお、出力部１２は、ディスプレイを備えており、これにより取得した「検索結果」や、「一覧表」もしくは「内容」を表示するようにしている。
【００４２】
通信制御部１６は、ネットワークを通じて送受信されるデータの転送を制御する。具体的には、同報電子メールを含む電子メールの送受信や、「検索結果情報」の送信、「一覧表表示要求」の送信、「一覧表」の受信、「内容表示要求」の送信、「内容」の受信などを行う。例えば、通信制御部１６は、電子メール送受信のための通信プロトコルであるＳＭＴＰ／ＰＯＰ３プロトコルによって、電子メールの送受信を行なう。
【００４３】
入出力制御Ｉ／Ｆ部１３は、入力部１１および出力部１２と、記憶部１４および制御部１５と、通信制御部１６との間におけるデータ転送を制御する。
【００４４】
記憶部１４は、制御部１５による各種処理に用いるデータや、制御部１５による各種処理結果を記憶し、特に本発明に密接に関連するものとしては、図２に示すように、送受信メール記憶部１４ａと、重要メール一覧表記憶部１４ｂと、重要メール内容記憶部１４ｃとを備える。送受信メール記憶部１４ａは、同報電子メールサーバ装置によって送受信した電子メールを記憶し、重要メール一覧表記憶部１４ｂは、後述する一覧表検索処理部１５ｂによって取得された一覧表を記憶し、重要メール内容記憶部１４ｃは、後述する一覧表検索処理部１５ｂによって取得された同報電子メールの内容を記憶する。なお、各部については、後に詳述する。
【００４５】
制御部１５は、入出力制御Ｉ／Ｆ部１３から転送されたデータに基づき各種処理を実行し、特に本発明に密接に関連するものとしては、図２に示すように、受信メール検索部１５ａと、一覧表検索処理部１５ｂとを備える。ここで、受信メール検索部１５ａは、特許請求の範囲に記載の「検索結果情報送信手段」に対応し、一覧表検索処理部１５ｂは、同じく「一覧表要求手段」と、「内容要求手段」とに対応する。
【００４６】
受信メール検索部１５ａは、送受信メール記憶部１４ａが記憶する受信メールから、入力部１１で入力された「検索キーワード」に基づいて、目的とする同報電子メールを検索する。具体的に説明すると、まず、受信メール検索部１５ａは、例えば、図３の（Ａ）に示すように、出力部１２に、送受信メール記憶部１４ａが記憶する受信メールの中から同報電子メールの受信済み画面を表示する。
【００４７】
ここで、受信済み画面の左側（図３の（Ａ）の（２）参照）には、当該電子メール送受信装置の所有者が属している同報メールコミュニティ（例えば、ＭＬ−１〜４）が表示されており、例えば、同報メールコミュニティ「ＭＬ−１」が押下された状態では、受信済み画面の右上部（図３の（Ａ）の（３）参照）に、同報メールコミュニティ「ＭＬ−１」から受信した同報電子メールのリストが表示される。ここで、リストの「サブジェクト」が「通勤費の振込みについて」同報電子メールが押下された状態では、受信済み画面の右下部（図３の（Ａ）の（４）参照）に、当該同報電子メールの内容が表示される。
【００４８】
また、受信メール検索部１５ａは、受信済み画面のメニューバー（図３の（Ａ）の（１）参照）に示す「検索（Ｓ）」が押下された状態では、図３の（Ｂ）に示すように、検索画面を「検索ダイアログ」として表示する（図３の（Ｂ）の（１）参照）。「検索ダイアログ」には、検索キーワード（例えば「停電」）を入力するエリアである「検索文字列」（図３の（Ｂ）の（２）参照）や、検索箇所（例えば、「本文」など）を指定するラジオボタン（図３の（Ｂ）の（３）参照）がある。例えば、「検索文字列：停電」が入力され、「検索箇所：本文」が指定されて、「検索」（図３の（Ｂ）の（４）参照）が押下された状態では、検索キーワード「停電」が「本文」にある同報電子メールが、同報電子メールのリスト（図３の（Ａ）の（３）参照）から検索され、当該同報電子メールの内容が表示される（図３の（Ｂ）の（６）参照）。
【００４９】
さらに、受信メール検索部１５ａは、目的とする同報電子メールが検索されてユーザによって参照された場合に、同報電子メールに付与されている同報メール識別番号を検索結果情報として同報電子メールサーバ装置に検索結果送信用アドレスを用いて送信する。例えば、目的とする同報電子メール（タイトル：「停電のお知らせ（７／２）」）が検索されて、同報電子メールの内容（図３の（Ｂ）の（６）参照）が当該電子メール送受信装置１０のユーザ（社員「Ａさん」）によって参照された場合に、「検索ダイアログ」の「結果送信」（図３の（Ｂ）の（５）参照）が押下された状態では、「検索結果送信ダイアログ」（図４の（１）参照）が表示される。ここで、「検索結果送信ダイアログ」にある「送信」（図４の（２）参照）が押下されると、受信メール検索部１５ａは、検索結果送信用アドレスを用いて、同報電子メール（タイトル：「停電のお知らせ（７／２）」）に付与されている同報メール識別番号を検索結果情報として、同報電子メールサーバ装置に送信する。
【００５０】
すなわち、受信メール検索部１５ａは、送受信メール記憶部１４ａが記憶する同報電子メール（タイトル：「停電のお知らせ（７／２）」）の拡張ヘッダ（図５の（Ａ）参照）にある「同報メール識別番号：００９０５」を検索結果情報として検索結果送信用アドレス（例えば、xx-xx-ml-search@ml.bb.aa.co.jp）を用いて同報電子メールサーバ装置に送信する。例えば、図５の（Ｂ）に示すように、文字列を内容とするメールを検索結果情報として、検索結果送信用アドレスを用いて同報電子メールサーバ装置に送信する。ここで、図５の（Ａ）に示す拡張ヘッダから、例えば、「abcd@mail.com」のアドレスを持つ総務部の「Ｘさん」が所有する電子メール送受信装置１０から、同報電子メール用アドレス「xx-xx-ml@ml.bb.aa.co.jp」により、同報電子メールサーバ装置を介して社員全員の電子メール送受信装置１０に送信し、社員「Ａさん」（アドレスは、zyxwv@bb.aa.co.jp）が所有する電子メール送受信装置１０は、図５の（Ａ）に示す文章を内容とする同報電子メールを受信したことがわかる。なお、受信メール検索部１５ａは、既存のメーラーに対する機能拡張して、プラグインとして実現することが、各人の使い慣れたメーラーのユーザーインターフェースを継続利用できるため望ましいが、これに限定されるものではない。
【００５１】
一覧表検索処理部１５ｂは、同報電子メールの属性情報とともに参照回数に係る情報を対応付けて並べた一覧表を同報電子メールサーバ装置に要求する。例えば、社員「Ｂさん」が、社員「Ａさん」と同様に「停電のお知らせ」を内容とする同報電子メールを検索する場合、社員「Ａさん」のように、自身の電子メール送受信装置１０を操作して目的とする同報電子メールを検索するのではなく、「ＭＬ１（ＸＸ−ＸＸ-ｍｌ）」の同報メールコミュニティにおける一覧表を要求する。その際、一覧表検索処理部１５ｂは、図６に示すような画面「ＸＸ−ＸＸ-ｍｌ重要メール表示画面」を、出力部１２に表示させる。そして、図６に示す「一覧表示」のボタンを、社員「Ｂさん」が入力部１１から押下すると、一覧表検索処理部１５ｂは、一覧表の表示要求を同報電子メールサーバ装置に送信する。
【００５２】
また、一覧表検索処理部１５ｂは、同報電子メールサーバ装置から一覧表を受信し、受信した一覧表を、重要メール一覧表記憶部１４ｂに記憶するとともに、出力部１２に、重要メール一覧表記憶部１４ｂが記憶した一覧表を表示させる。例えば、一覧表検索処理部１５ｂは、出力部１２に、図７に示す一覧表を表示させる。その際、後述する同報メール一覧表記憶部２２ｂが記憶する一覧表（図１０を参照）を、図７に示すように、参照回数の多い順に並べ替えた同報電子メールの属性情報（送信日時、タイトルなど）の一覧表を表示する。なお、出力部１２が表示する一覧表においては、各メールのタイトルがハイパーリンクとして表示されており、このタイトル文字列を入力部１１から選択押下すると、当該メール内容の要求を送信できるようにしている。
【００５３】
さらに、一覧表検索処理部１５ｂは、一覧表から所定の同報電子メールが指定された場合に、当該指定された同報電子メールの内容を同報電子メールサーバ装置に要求する。例えば、社員「Ｂさん」が、図７に示す参照回数の多い順に並べ替えられた一覧表を閲覧して、参照回数が一番多い『タイトル：「停電のお知らせ（７／２）」』が目的とする同報電子メールであるとして、入力部１１からこのタイトル文字列を選択押下すると、当該メールの内容の要求を同報電子メールサーバ装置に送信する。
【００５４】
また、一覧表検索処理部１５ｂは、同報電子メールサーバ装置から同報電子メールの内容を受信し、受信した当該同報電子メールの内容を、重要メール内容記憶部１４ｃに記憶するとともに、出力部１２に、重要メール内容記憶部１４ｃが記憶した当該同報電子メールの内容を表示させる。例えば、一覧表検索処理部１５ｂは、出力部１２に、受信した『タイトル：「停電のお知らせ（７／２）」』の内容（図８を参照）を表示させる。
【００５５】
なお、一覧表検索処理部１５ｂを実現するプロトコルは標準ＨＴＴＰおよびＨＴＭＬによる実装とするほうが、既存の情報閲覧アプリケーションソフト（Ｗｅｂブラウザ）を継続利用できるため望ましいが、これに限定されるものではない。また、他のメンバの電子メール送受信装置１０が、目的とする同報電子メールの「内容表示要求」を送信して、当該同報電子メールの「内容」を受信した際に、メーラ側で管理する当該目的とする同報電子メールが未開封の場合、これを開封状態にするように連動する機能を付加してもよい。
【００５６】
［実施例１における同報電子メールサーバ装置の構成］
続いて、図９〜１１を用いて、実施例１における同報電子メールサーバ装置の構成を説明する。図９は、実施例１における同報電子メールサーバ装置の構成を示すブロック図であり、図１０は、実施例１における同報メール一覧表記憶部を説明するための図であり、図１１は、実施例１における同報メール処理部および一覧表処理部を説明するための図である。図９に示すように、実施例１における同報電子メールサーバ装置２０は、通信制御部２１と、記憶部２２と、制御部２３とから構成される。
【００５７】
通信制御部２１は、ネットワークを通じて送受信されるデータの転送を制御する。具体的には、同報電子メールの送受信や、「検索結果情報」の受信、「一覧表表示要求」の受信、「一覧表」の送信、「内容表示要求」の受信、「内容」の送信などを行う。例えば、通信制御部２１は、電子メール送受信のための通信プロトコルであるＳＭＴＰ／ＰＯＰ３プロトコルによって、電子メールの送受信を行なう。
【００５８】
記憶部２２は、制御部２３による各種処理に用いるデータや、制御部２３による各種処理結果を記憶し、特に本発明に密接に関連するものとしては、図９に示すように、同報メールアドレス記憶部２２ａと、同報メール一覧表記憶部２２ｂと、同報メール内容記憶部２２ｃとを備える。同報メールアドレス記憶部２２ａは、同報電子メールアドレスごとに、対応する同報メールコミュニティのメンバ全員のアドレスを記憶し、同報メール一覧表記憶部２２ｂは、電子メール送受信装置１０から受信して電子メール送受信装置１０へ送信した同報電子メールの属性情報とともに参照回数に係る情報を対応付けて並べた一覧表を記憶し、同報メール内容記憶部２２ｃは、電子メール送受信装置１０から受信して電子メール送受信装置１０へ送信した同報電子メールの内容を記憶する。ここで、同報メール一覧表記憶部２２ｂは、特許請求の範囲に記載の「参照回数記憶手段」に対応する。なお、各部については、後に詳述する。
【００５９】
制御部２３は、通信制御部２１から転送されたデータに基づき各種処理を実行し、特に本発明に密接に関連するものとしては、図９に示すように、同報メール処理部２３ａと、一覧表処理部２３ｂとを備える。ここで、同報メール処理部２３ａは、特許請求の範囲に記載の「参照回数管理手段」に対応し、一覧表処理部２３ｂは、同じく、「参照回数管理手段」と、「一覧表送信手段」と、「内容送信手段」とに対応する。
【００６０】
同報メール処理部２３ａは、電子メール送受信装置１０から電子メールを受信すると、当該電子メールを解析し、同報電子メール用アドレス（例えば、xx-xx-ml@ml.bb.aa.co.jp）によって送信された同報電子メールであった場合には、同報メールアドレス記憶部２２ａが記憶する同報電子メール用アドレスごとの同報メールコミュニティのメンバ全員のアドレスを用いて、当該同報電子メールを当該メンバがそれぞれ所有する電子メール送受信装置１０に送信する。その際、当該同報電子メールを一意に特定できる「同報メール識別番号」と、「検索結果情報」を同報電子メールサーバ装置２０に電子メール送受信装置１０から返信するための「検索結果送信用アドレス」とを付加して送信する。例えば、同報電子メール用アドレス「xx-xx-ml@ml.bb.aa.co.jp」によって送信された同報電子メールの拡張ヘッダに「同報メール識別番号：００９０５」と「同報電子メール用アドレス：xx-xx-ml@ml.bb.aa.co.jp」とを付加して送信する（図５の（Ａ）参照）。
【００６１】
また、同報メール処理部２３ａは、電子メール送受信装置１０から同報電子メールを受信して電子メール送受信装置１０へ送信した場合は、当該同報電子メールの属性情報とともに参照回数に係る情報を同報メール一覧表記憶部２２ｂに記憶する。具体的には、図１０に示すように、「同報メール識別番号」、「送信日時」、「送信者」、「サブジェクト」および「ファイル名」などの属性情報とともに、「参照回数」を対応付けて並べた一覧表を記憶する。例えば、図１０に示すように、「同報メール識別番号：００９０５」の同報電子メールの属性情報は、「送信日時」が「２００６年３月３日１４時２０分」であり、「送信者」が『「abcd@mail.com」のアドレスを持つ総務部の「Ｘさん」』であり、「サブジェクト」が「停電のお知らせ（７／２）」であり、「ファイル名」が「０１００９０５．ｔｘｔ」のテキストファイルが当該同報電子メールの「内容」であるとともに、電子メール送受信装置１０から参照された回数である「参照回数」が「３１６」回であるとする一覧表を記憶する。
【００６２】
また、同報メール処理部２３ａは、電子メール送受信装置１０から同報電子メールを受信して電子メール送受信装置１０へ送信した場合は、当該同報電子メールの内容を同報メール内容記憶部２２ｃに記憶する。具体的には、図１０に示す「同報メール識別番号：００９０５」の同報電子メールの内容を、テキストファイルの形式（ファイル名：０１００９０５．ｔｘｔ）で記憶する。
【００６３】
一方、同報メール処理部２３ａは、電子メール送受信装置１０から電子メールを受信すると、当該電子メールを解析し、上述した「検索結果情報用アドレス」によって送信された検索結果情報であった場合には、当該同報メール識別番号に対応する参照回数を同報メール一覧表記憶部２２ｂに更新して記憶する。具体的には、同報メール一覧表記憶部２２ｂが記憶する一覧表の当該同報メール識別番号に対応する参照回数を更新して記憶する。例えば、検索結果情報が「同報メール識別番号：００９０５」であった場合は、図１１の（Ａ）に示す「同報メール識別番号：００９０５」の「参照回数：０」を、図１１の（Ｂ）に示すように、「参照回数：１」に更新する。
【００６４】
一覧表処理部２３ｂは、電子メール送受信装置１０が送信した「一覧表表示要求」に応じて、同報メール一覧表記憶部２２ｂから取得した一覧表を、参照回数を利用して順序を並べ替えて（図７を参照）、「一覧表表示要求」を送信した電子メール送受信装置１０に対して送信する。
【００６５】
また、一覧表処理部２３ｂは、電子メール送受信装置１０が送信した「内容表示要求」に応じて、同報メール内容記憶部２２ｃから取得した「指定された同報電子メールの内容」（図８を参照）を、「内容表示要求」を送信した電子メール送受信装置１０に対して送信する。
【００６６】
さらに、一覧表処理部２３ｂは、電子メール送受信装置１０が送信した「内容表示要求」に応じて、当該指定された同報電子メールの同報メール識別番号に対応する参照回数を同報メール一覧表記憶部２２ｂに更新して記憶する。具体的には、同報メール一覧表記憶部２２ｂが記憶する一覧表の当該同報メール識別番号に対応する参照回数を更新して記憶する。例えば、指定された同報電子メールが「同報メール識別番号：００９０５」であった場合は、図１１の（Ｂ）に示す「同報メール識別番号：００９０５」の「参照回数：１」を、図１１の（Ｃ）に示すように、「参照回数：２」に更新する。
【００６７】
［実施例１におけるメール検索システムによる処理の手順］
次に、図１２〜１４を用いて、実施例１におけるメール検索システムによる処理を説明する。図１２は、同報電子メールの送信から受信にいたる処理を説明するためのシーケンス図であり、図１３は、実施例１における同報電子メールの検索から参照回数の更新にいたる処理を説明するためのシーケンス図であり、図１４は、実施例１における一覧表の要求から参照回数の更新にいたる処理を説明するためのシーケンス図である。
【００６８】
［同報電子メールの送信から受信にいたる処理の手順］
まず、実施例１における電子メール送受信装置１０（ユーザは総務部「Ｘさん」）は、同報電子メールを同報電子メールサーバ装置２０へ送信すると（ステップＳ１２０１）、実施例１における同報電子メールサーバ装置２０は、当該電子メールを受信する（ステップＳ１２０２）。
【００６９】
そして、同報メール処理部２３ａは、当該電子メールを同報電子メールと解析すると（ステップＳ１２０３）、同報メール処理部２３ａは、同報メールアドレス記憶部２２ａが記憶する同報電子メール用アドレスごとの同報メールコミュニティのメンバ全員のアドレスを用いて、当該同報電子メールを当該メンバがそれぞれ所有する電子メール送受信装置１０に対して送信する（ステップＳ１２０４）。この際、当該同報電子メールを一意に特定できる「同報メール識別番号」と、検索結果情報を同報電子メールサーバ装置に電子メール送受信装置から返信するための「検索結果送信用アドレス」とを付加して送信する。
【００７０】
さらに、同報メール処理部２３ａは、送信した同報電子メールの属性情報と内容とを、同報メール一覧表記憶部２２ｂと同報メール内容記憶部２２ｃに格納する（ステップＳ１２０５）。
【００７１】
そして、電子メール送受信装置１０（ユーザは、社員全員）は、同報電子メールサーバ装置２０から、同報電子メールを受信して（ステップＳ１２０６）、処理を終了する。
【００７２】
［実施例１における同報電子メールの検索から参照回数の更新にいたる処理の手順］
まず、実施例１における電子メール送受信装置１０（ユーザは社員「Ａさん」）を構成する受信メール検索部１５ａは、入力部１１で入力された「検索キーワード」による検索指示を受け付けると（ステップＳ１３０１）、受信メール検索部１５ａは、出力部１２に「検索結果」を出力させる（ステップＳ１３０２、図３の（Ｂ）参照）。
【００７３】
そして、受信メール検索部１５ａは、目的とする同報電子メールが検索されてユーザによって参照された場合に、検索結果送信用アドレスを用いて、同報電子メールに付与されている同報メール識別番号を検索結果情報として、同報電子メールサーバ装置に送信する（ステップＳ１３０３）。具体的には、目的とする同報電子メール（タイトル：「停電のお知らせ（７／２）」）が検索されて、同報電子メールの内容（図３の（Ｂ）の（６）参照）が当該電子メール送受信装置１０のユーザ（社員「Ａさん」）によって参照された場合に、「検索結果情報ダイアログ」にある「送信」（図４の（２）参照）が押下されることにより、受信メール検索部１５ａは、検索結果送信用アドレスを用いて、同報電子メール（タイトル：「停電のお知らせ（７／２）」）に付与されている「同報メール識別番号：００９０５」を検索結果情報（図５の（Ｂ）参照）として、同報電子メールサーバ装置に送信する。
【００７４】
続いて、同報電子メールサーバ装置２０は、電子メール送受信装置１０から、当該電子メールを受信すると（ステップＳ１３０４）、同報メール処理部２３ａは、当該電子メールを検索結果情報と解析し（ステップＳ１３０５）、同報メール処理部２３ａは、当該同報メール識別番号に対応する参照回数を更新して（ステップＳ１３０６）、処理を終了する。具体的には、同報メール一覧表記憶部２２ｂが記憶する一覧表の当該同報メール識別番号に対応する参照回数を更新して記憶する（図１１の（Ｂ）参照）。
【００７５】
［実施例１における一覧表の要求から参照回数の更新にいたる処理の手順］
まず、実施例１における電子メール送受信装置１０（ユーザは社員「Ｂさん」）を構成する一覧表検索処理部１５ｂは、同報電子メールの属性情報とともに参照回数に係る情報を対応付けて並べた一覧表を要求する「一覧表表示要求」を同報電子メールサーバ装置２０に対して送信すると（ステップＳ１４０１）、同報電子メールサーバ装置２０は、電子メール送受信装置１０から、「一覧表表示要求」を受信し（ステップＳ１４０２）、一覧表処理部２３ｂは、受信した「一覧表表示要求」に応じて、同報メール一覧表記憶部２２ｂから取得した一覧表を、参照回数を利用して順序を並べ替えて（図７を参照）、「一覧表表示要求」を送信した電子メール送受信装置１０に対して送信する（ステップＳ１４０３）。
【００７６】
そして、電子メール送受信装置１０は、同報電子メールサーバ装置２０から、一覧表を受信すると（ステップＳ１４０４）、一覧表検索処理部１５ｂは、一覧表から所定の同報電子メールが指定された場合に、当該指定された同報電子メールの内容を同報電子メールサーバ装置２０に要求する（ステップＳ１４０５）。例えば、社員「Ｂさん」が、図７に示す参照回数の多い順に並べ替えられた一覧表を閲覧して、参照回数が一番多い『タイトル：「停電のお知らせ（７／２）」』が目的とする同報電子メールであるとして、入力部１１からこのタイトル文字列を選択押下すると、当該メールの内容を要求する「内容表示要求」を同報電子メールサーバ装置２０に対して送信する。
【００７７】
続いて、同報電子メールサーバ装置２０は、電子メール送受信装置１０から、「内容表示要求」を受信すると（ステップＳ１４０６）、一覧表処理部２３ｂは、受信した「内容表示要求」に応じて、同報電子メール内容記憶部２２ｃから取得した「指定された同報電子メールの内容」（図８を参照）を、「内容表示要求」を送信した電子メール送受信装置１０に対して送信する（ステップＳ１４０７）。
【００７８】
さらに、一覧表処理部２３ｂは、電子メール送受信装置１０から受信した「内容表示要求」に応じて、当該指定された同報電子メールの同報メール識別番号に対応する参照回数を同報メール一覧表記憶部２２ｂに更新して記憶する（ステップＳ１４０８、図１１の（Ｃ）参照）。
【００７９】
続いて、電子メール送受信装置１０は、同報電子メールサーバ装置２０から指定した同報電子メールの「内容」を受信して（ステップＳ１４０９）、処理を終了する。
【００８０】
［実施例１の効果］
上記したように、実施例１によれば、電子メール送受信装置１０は、電子メール送受信装置１０によって検索されてユーザによって参照された同報電子メールに付与されている同報メール識別番号を検索結果情報として同報電子メールサーバ装置２０に送信し、同報電子メールサーバ装置２０は、同報メール識別番号に対応付けて、同報電子メールが参照された回数を示す参照回数を記憶し、電子メール送受信装置１０から検索結果情報として同報メール識別番号を受信した場合に、当該同報メール識別番号に対応する参照回数を更新して記憶し、参照回数に応じて、同報メール識別番号に対応する同報電子メールの内容を電子メール送受信装置１０に送信するので、参照回数に応じて同報電子メールの内容がメンバに送信されることで、大量に蓄積された同報電子メールから目的とする同報電子メールを効率的に検索することが可能になる。
【００８１】
また、実施例１によれば、電子メール送受信装置１０は、同報電子メールの属性情報とともに参照回数に係る情報を対応付けて並べた一覧表を同報電子メールサーバ装置２０に要求し、一覧表表示要求に応じて同報電子メールサーバ装置２０から取得した一覧表を出力し、所定の同報電子メールが指定された場合に、当該指定された同報電子メールの内容を同報電子メールサーバ装置２０に要求し、同報電子メールサーバ装置２０は、内容表示要求に応じて、一覧表を当該電子メール送受信装置１０に送信し、内容表示要求に応じて、指定された同報電子メールの内容を当該電子メール送受信装置１０に送信するので、目的とする同報電子メールを検索したメンバの検索結果が参照回数に反映された一覧表を閲覧することで、大量に蓄積された同報電子メールから目的とする同報電子メールを効率的に検索することが可能になる。
【００８２】
また、実施例１によれば、指定された同報電子メールの内容の要求である内容表示要求を受信した場合にも、当該指定された同報電子メールの識別番号に対応する参照回数を更新して記憶するので、一覧表を閲覧して目的とする同報電子メールを検索したメンバの検索結果も反映された一覧表を閲覧することで、大量に蓄積された同報電子メールから目的とする同報電子メールを一層効率的に検索することが可能になる。
【００８３】
また、実施例１によれば、同報電子メールサーバ装置２０は、同報電子メールを電子メール送受信装置１０に送信する際に、検索結果情報を同報電子メールサーバ装置２０に電子メール送受信装置１０から返信するための検索結果送信用アドレスをさらに付加して送信し、電子メール送受信装置１０は、検索結果送信用アドレスを用いて検索結果情報を同報電子メールサーバ装置２０に送信するので、同報電子メールサーバ装置２０に検索結果情報を記載した電子メールが直接届けられるとともに、同報電子メールサーバ装置２０は、受信した電子メールが同報電子メールなのか検索結果情報を記載した電子メールなのかを簡易に判定することができ、同報電子メールサーバ装置２０の構成および処理を効率化することが可能になる。
【００８４】
また、実施例１によれば、参照回数を利用して順序を並べ替えた一覧表を送信するので、目的とする同報電子メールを検索したメンバの検索結果が参照回数に反映されて、例えば、参照回数の多い順で並べ替えられた一覧表を閲覧することで、大量に蓄積された同報電子メールから目的とする同報電子メールを一層効率的に検索することが可能になる。
【実施例２】
【００８５】
上述した実施例１では、参照回数を利用して並べ替えた一覧表を参照する場合のメール検索システムについて説明したが、実施例２では、参照回数とともに同報電子メールの有効期限を利用して並べ替えた一覧表を参照する場合のメール検索システムについて説明する。
【００８６】
［実施例２におけるメール検索システムの概要および特徴］
まず最初に、図１５を用いて、実施例２におけるメール検索システムの主たる特徴を具体的に説明する。図１５は、実施例２におけるメール検索システムの概要および特徴を説明するための図である。
【００８７】
実施例２におけるメール検索システムは、実施例１におけるメール検索システムと同様に、電子メール送受信装置が送信した同報電子メールを受信して、当該同報電子メールを複数の電子メール送受信装置へ送信する際、当該同報電子メールを一意に特定できる同報メール識別番号と検索結果情報を同報電子メールサーバ装置に電子メール送受信装置から返信するための検索結果送信用アドレスとを付加して送信する（図１の（Ａ）を参照）。
【００８８】
そして、実施例２におけるメール検索システムは、図１５の（Ａ）の（１）に示すように、例えば、社員「Ａさん」が、電子メール送受信装置が備える検索機能を利用して目的とする同報電子メール（例えば、「停電のお知らせ」を内容とする同報電子メール）の検索に成功して当該同報電子メールの内容（例えば、「７/２（日）全館停電」の通知がきておりますので、・・・）を参照した場合に、当該同報電子メールの有効期限を内容から「有効期限：２００６年７月２日」と判断すると、図１５の（Ａ）の（２）に示すように、電子メール送受信装置は、当該同報電子メールに付与されていた「同報メール識別番号：００９０５」に「有効期限：２００６年７月２日」を加えた情報を検索結果情報として同報電子メールサーバ装置に検索結果送信用アドレス（例えば、xx-xx-ml-search@ml.bb.aa.co.jp）を用いて送信する。
【００８９】
そして、実施例２におけるメール検索システムを構成する同報電子メールサーバ装置は、電子メール送受信装置から検索結果情報として同報メール識別番号を受信した場合に、当該同報メール識別番号に対応する参照回数と有効期限を更新して記憶する（図１５の（Ａ）の（３））。具体的には、同報電子メールサーバ装置は、送信済みの「同報電子メール」の属性情報（例えば、「送信日時」、「送信者」、「サブジェクト（件名）」、「ファイル名（本文などからなる内容が記憶されているテキストファイルの名前）」など）とともに当該同報電子メールの「参照回数」と「有効期限」とを同報メール識別番号に対応付けて並べた一覧表を記憶しており、電子メール送受信装置から検索結果情報として同報メール識別番号を「有効期限」とともに「検索結果送信用アドレス」によって受信した場合、図１５の（Ａ）の（３）に示すように、「同報メール識別番号：００９０５」に対応する「参照回数」を「０」から「１」に更新し、「有効期限」を「２００６／７／２」に更新する。
【００９０】
そして、実施例２におけるメール検索システムを構成する電子メール送受信装置は、例えば、有効期限内にある同報電子メールのみを「参照回数」で並べ替えた一覧表を同報電子メールサーバ装置に要求する機能を有する。具体的には、社員「Ｂさん」が、社員「Ａさん」と同様に「停電のお知らせ」を内容とする同報電子メールを検索する場合、社員「Ａさん」のように、自身の電子メール送受信装置を操作して目的とする同報電子メールを検索するのではなく、図１５の（Ｃ）の（１）に示すように、同報電子メールの属性情報とともに参照回数と有効期限とが記載されている一覧表を表示する要求を同報電子メールサーバ装置に送信する。
【００９１】
そして、実施例２におけるメール検索システムを構成する同報電子メールサーバ装置は、図１５の（Ｃ）の（２）に示すように、電子メール送受信装置からの要求に応じて、有効期限内にある同報電子メールのみを「参照回数」で並べ替えた一覧表を当該電子メール送受信装置に送信する。例えば、社員「Ｂさん」が、一覧表の表示要求を行ったのが、２００６年６月１０日とすると、図１５の（Ｂ）に示す一覧表において、「同報メール識別番号：００９０５」は有効期限内であるので、参照回数の多い順に並べ替えられて、「参照回数：１」である「同報メール識別番号：００９０５」が一列目に並べ替えられた一覧表を、社員「Ｂさん」がユーザである電子メール送受信装置に送信する。なお、有効期限の属性情報がない「同報メール識別番号：００９０５」以外の同報電子メールの属性情報も一覧表に表示して送信してもよい。
【００９２】
そして、実施例２におけるメール検索システムを構成する電子メール送受信装置は、同報電子メールサーバ装置から取得した一覧表を出力し、所定の同報電子メールが指定された場合に、当該指定された同報電子メールの内容を同報電子メールサーバ装置に要求する。例えば、図１５の（Ｃ）の（３）に示すように、社員「Ｂさん」は、同報電子メールサーバ装置から取得した有効期限内にある同報電子メールのみを「参照回数」で並べ替えた一覧表を参照して、目的とする同報電子メール（「サブジェクト：停電のお知らせ（７／２）」、「同報メール識別番号：００９０５」）の検索に成功して指定した場合に、当該指定された同報電子メールの内容を同報電子メールサーバ装置に要求する（図１５の（Ｃ）の（４）を参照）。
【００９３】
そして、実施例２におけるメール検索システムを構成する同報電子メールサーバ装置は、参照回数と有効期限とに基づいて指定された同報電子メールの内容要求に応じて、図１５の（Ｃ）の（５）に示すように、当該同報電子メールの内容を当該電子メール送受信装置に送信する。すなわち、図１５の（Ｂ）に示す一覧表における「同報メール識別番号：００９０５」の「ファイル名：0100905.txt」に対応する「内容」を、社員「Ｂさん」がユーザである電子メール送受信装置に送信する。
【００９４】
そして、実施例２におけるメール検索システムを構成する同報電子メールサーバ装置は、指定された同報電子メールの内容の要求を受信した場合にも、当該指定された同報電子メールの識別番号に対応する参照回数を更新して記憶する（図１５の（Ｃ）の（６）を参照）。すなわち、社員「Ｂさん」がユーザである電子メール送受信装置からの「同報メール識別番号：００９０５」の同報電子メールの内容の要求を受信した場合にも、「同報メール識別番号：００９０５」の属性情報「参照回数」を更新する。より具体的には、例えば、図１５の（Ｂ）に示す一覧表において、「同報メール識別番号：００９０５」の属性情報「参照回数」を「１」から「２」に更新する（図１５の（Ｄ）を参照）。
【００９５】
このようなことから、実施例２におけるメール検索システムは、目的とする同報電子メールを検索したメンバによって指定された有効期限が参照回数とともに反映されて、例えば、検索当日以降が有効期限である同報電子メールのみを参照回数の多い順で並べ替えられた一覧表を閲覧することで、他のメンバはメンバ全員にとって重要な同報電子メールを有効期限内で検索して内容を確認することができ、大量に蓄積された同報電子メールから目的とする同報電子メールを一層効率的に検索することが可能になる。
【００９６】
［実施例２における電子メール送受信装置の構成］
次に、図２および図１６〜１９を用いて、実施例２における電子メール送受信装置の構成を説明する。図２は、実施例１における電子メール送受信装置の構成を示すブロック図であり、図１６は、実施例２における受信メール検索部による検索結果情報の送信処理を説明するための図であり、図１７は、実施例２における検索結果情報の内容を説明するための図であり、図１８は、実施例２における一覧表検索処理部を説明するための図であり、図１９は、実施例２における重要メール一覧表記憶部を説明するための図である。
【００９７】
図２に示すように、実施例２における電子メール送受信装置１０は、実施例１における電子メール送受信装置１０と同様の構成であるが、受信メール検索部１５ａと、一覧表検索処理部１５ｂとの処理内容が異なる。以下、これを中心に説明する。
【００９８】
受信メール検索部１５ａは、実施例１と同様に、目的とする同報電子メールを受信メール検索部１５ａが検索してユーザによって参照された場合に、検索結果送信用アドレスを用いて、当該同報電子メールに付与されている同報メール識別番号を検索結果情報として同報電子メールサーバ装置に送信するが、その際、ユーザによって指定された有効期限をさらに加えて送信する。例えば、目的とする同報電子メール（タイトル：「停電のお知らせ（７／２）」）が検索されて、同報電子メールの内容（図３の（Ｂ）の（６）参照）が当該電子メール送受信装置１０のユーザ（社員「Ａさん」）によって参照された場合に、「検索ダイアログ」の「結果送信」（図３の（Ｂ）の（５）参照）が押下された状態では、「検索結果送信ダイアログ」（図１６の（１）参照）が表示される。「検索結果送信ダイアログ」には、「有効期限あり」か「有効期限なし」を指定するラジオボタン（図１６の（２）参照）があり、「有効期限あり」には有効期限を入力するエリア（図１６の（３）参照）があり、社員「Ａさん」は、図３の（Ｂ）の（６）に示す同報電子メールの内容から、「有効期限：２００６年７月２日」と判断し、「有効期限あり」のラジオボタンを入力部１１から選択し、当該有効期限を、入力部１１から入力する。
【００９９】
ここで、「検索結果送信ダイアログ」にある「送信」（図１６の（４）参照）が押下されると、受信メール検索部１５ａは、検索結果送信用アドレスを用いて、同報電子メール（タイトル：「停電のお知らせ（７／２）」）に付与されている同報メール識別番号と入力された「有効期限」とを検索結果情報として、同報電子メールサーバ装置に送信する。
【０１００】
すなわち、受信メール検索部１５ａは、検索結果送信用アドレス（例えば、xx-xx-ml-search@ml.bb.aa.co.jp）を用いて、送受信メール記憶部１４ａが記憶する同報電子メール（タイトル：「停電のお知らせ（７／２）」）の拡張ヘッダ（図１７の（Ａ）参照）にある「同報メール識別番号：００９０５」とともに、社員「Ａさん」が判定した「有効期限：２００６／７／２」を検索結果情報として同報電子メールサーバ装置に送信する（図１７の（Ｂ）参照）。なお、図１７の（Ａ）に示した同報電子メールの拡張ヘッダと内容とは、図５の（Ａ）に示したものと同じものである。
【０１０１】
一覧表検索処理部１５ｂは、同報電子メールの属性情報とともに参照回数と有効期限とに係る情報を対応付けて並べた一覧表を同報電子メールサーバ装置に要求する。例えば、社員「Ｂさん」が、社員「Ａさん」と同様に「停電のお知らせ」を内容とする同報電子メールを検索する場合、社員「Ａさん」のように、自身の電子メール送受信装置１０を操作して目的とする同報電子メールを検索するのではなく、「ＭＬ１（ＸＸ−ＸＸ-ｍｌ）」の同報メールコミュニティにおける一覧表を要求する。その際、一覧表検索処理部１５ｂは、図１８に示すような画面「ＸＸ−ＸＸ-ｍｌ重要メール表示条件画面」を、出力部１２に表示させる。そして、社員「Ｂさん」が、図１８に示す「有効期限あり」の表示条件をチェックして、さらに、「一覧表示」のボタンを押下すると、一覧表検索処理部１５ｂは、例えば、有効期限内にある同報電子メールのみを参照回数の多い順に並べ替えた一覧表の表示要求を同報電子メールサーバ装置２０に送信する。そして、図１６に示す、表示条件である「有効期限あり」のラジオボタンを社員「Ｂさん」が入力部１１から選択し、「一覧表示」のボタンを社員「Ｂさん」が入力部１１から押下すると、一覧表検索処理部１５ｂは、一覧表の表示要求を同報電子メールサーバ装置に送信する。
【０１０２】
また、一覧表検索処理部１５ｂは、同報電子メールサーバ装置から一覧表を受信し、受信した一覧表を、重要メール一覧表記憶部１４ｂに記憶するとともに、出力部１２に、重要メール一覧表記憶部１４ｂが記憶した一覧表を表示させる。例えば、一覧表検索処理部１５ｂは、出力部１２に、図１９に示す一覧表を表示させる。その際、同報メール一覧表記憶部２２ｂが記憶する一覧表（図２０を参照）を、図１９に示すように、有効期限内にある同報電子メールのみを参照回数の多い順に並べ替えて表示する。ここで、社員「Ｂさん」が、一覧表の表示要求を行ったのが、２００６年６月１０日とすると、後述する同報メール一覧表記憶部２２ｂが記憶する一覧表（図２０を参照）から、有効期限の属性情報がない「同報メール識別番号：００９０６」と「同報メール識別番号：００９０７」および有効期限が過ぎた「同報メール識別番号：００９０４」を除いた３つの同報電子メールを参照回数の多い順に並べ替えた同報電子メールの属性情報（送信日時、タイトルなど）の一覧表（図１９を参照）を表示する。なお、出力部１２が表示する一覧表においては、各メールのタイトルがハイパーリンクとして表示されており、このタイトル文字列を入力部１１から選択押下すると、当該メール内容の要求を送信できるようにしている。
【０１０３】
さらに、一覧表検索処理部１５ｂは、一覧表から所定の同報電子メールが指定された場合に、当該指定された同報電子メールの内容を同報電子メールサーバ装置２０に要求する。例えば、社員「Ｂさん」が、図１９に示す参照回数の多い順に並べ替えられた一覧表を閲覧して、参照回数が一番多い『タイトル：「停電のお知らせ（７／２）」』が目的とする同報電子メールであるとして、入力部１１からこのタイトル文字列を選択押下すると、当該メールの内容の要求を同報電子メールサーバ装置に送信する。
【０１０４】
また、一覧表検索処理部１５ｂは、同報電子メールサーバ装置２０から同報電子メールの内容を受信し、受信した当該同報電子メールの内容を、重要メール内容記憶部１４ｃに記憶するとともに、出力部１２に、重要メール内容記憶部１４ｃが記憶した当該同報電子メールの内容を表示させる。例えば、一覧表検索処理部１５ｂは、出力部１２に、受信した『タイトル：「停電のお知らせ（７／２）」』の内容（図８を参照）を表示させる。
【０１０５】
［実施例２における同報電子メールサーバ装置の構成］
続いて、図９と、図２０と、図２１とを用いて、実施例２における同報電子メールサーバ装置の構成を説明する。図９は、実施例１における同報電子メールサーバ装置の構成を示すブロック図であり、図２０は、実施例２における同報メール一覧表記憶部を説明するための図であり、図２１は、実施例２における同報メール処理部および一覧表処理部を説明するための図である。
【０１０６】
図９に示すように、実施例２における同報電子メールサーバ装置２０は、実施例１における同報電子メールサーバ装置２０と同様の構成であるが、同報メール一覧表記憶部２２ｂが記憶する内容と、同報メール処理部２３ａおよび一覧表処理部２３ｂとの処理内容が異なる。以下、これを中心に説明する。
【０１０７】
同報メール処理部２３ａは、電子メール送受信装置１０から同報電子メールを受信して電子メール送受信装置１０へ送信した場合は、当該同報電子メールの属性情報とともに参照回数と有効期限に係る情報を同報メール一覧表記憶部２２ｂに記憶する。具体的には、図２０に示すように、「同報メール識別番号」、「送信日時」、「送信者」、「サブジェクト」および「ファイル名」などの属性情報とともに、「参照回数」と「有効期限」を対応付けて並べた一覧表を記憶する。例えば、図２０に示すように、「同報メール識別番号：００９０５」の同報電子メールは、「送信日時」が「２００６年３月３日１４時２０分」であり、「送信者」が『「abcd@mail.com」のアドレスを持つ総務部の「Ｘさん」』であり、「サブジェクト」が「停電のお知らせ（７／２）」であり、「ファイル名」が「０１００９０５．ｔｘｔ」のテキストファイルが当該同報電子メールの「内容」であり、電子メール送受信装置１０から参照された回数である「参照回数」が「３１６」回であり、電子メール送受信装置１０のユーザが判定した「有効期限」が「２００６年７月２日」であるとする一覧表を記憶する。
【０１０８】
また、同報メール処理部２３ａは、実施例１と同様に、電子メール送受信装置１０から同報電子メールを受信して電子メール送受信装置１０へ送信した場合は、当該同報電子メールの内容を同報メール内容記憶部２２ｃに記憶する。具体的には、図２０に示す「同報メール識別番号：００９０５」の同報電子メールの内容を、テキストファイルの形式（ファイル名：０１００９０５．ｔｘｔ）で記憶する。
【０１０９】
一方、同報メール処理部２３ａは、電子メール送受信装置１０から電子メールを受信すると、当該電子メールを解析し、上述した「検索結果情報用アドレス」によって送信された検索結果情報であった場合には、当該同報メール識別番号に対応する参照回数を同報メール一覧表記憶部２２ｂに更新して記憶するとともに、当該検索結果情報にある「有効期限」を記憶する。具体的には、同報メール一覧表記憶部２２ｂが記憶する一覧表の当該同報メール識別番号に対応する参照回数を更新して記憶する。例えば、検索結果情報が「同報メール識別番号：００９０５」と「有効期限：２００６／７／２」とであった場合（図１７の（Ｂ）参照）は、図２１の（Ａ）に示す「同報メール識別番号：００９０５」の「参照回数：０」を、図２１の（Ｂ）に示すように、「参照回数：１」に更新し、図２１の（Ａ）に示す「有効期限：空欄」を、図２１の（Ｂ）に示すように、「有効期限：２００６／７／２」に更新する。
【０１１０】
一覧表処理部２３ｂは、電子メール送受信装置１０が送信した「一覧表表示要求」に応じて、同報メール一覧表記憶部２２ｂから取得した一覧表を、参照回数と有効期限とに係る情報を対応付けて並べ替えて、「一覧表表示要求」を送信した電子メール送受信装置１０に対して送信する。例えば、図１９に示すように、有効期限内にある同報電子メールのみを参照回数の多い順に並べ替えた一覧表を送信する。
【０１１１】
また、一覧表処理部２３ｂは、電子メール送受信装置１０が送信した「内容表示要求」に応じて、同報メール内容記憶部２２ｃから取得した「指定された同報電子メールの内容」（図８を参照）を、「内容表示要求」を送信した電子メール送受信装置１０に対して送信するとともに、当該指定された同報電子メールの同報メール識別番号に対応する参照回数を同報メール一覧表記憶部２２ｂに更新して記憶する。例えば、指定された同報電子メールが「同報メール識別番号：００９０５」であった場合は、図２１の（Ｂ）に示す「同報メール識別番号：００９０５」の「参照回数：１」を、図２１の（Ｃ）に示すように、「参照回数：２」に更新する。
【０１１２】
［実施例２におけるメール検索システムによる処理の手順］
次に、図２２および図２３を用いて、実施例２におけるメール検索システムによる処理のなかで、同報電子メールの検索から参照回数の更新にいたる処理と、一覧表の要求から参照回数の更新にいたる処理とを説明する。図２２は、実施例２における同報電子メールの検索から参照回数の更新にいたる処理を説明するためのシーケンス図であり、図２３は、実施例２における一覧表の要求から参照回数の更新にいたる処理を説明するためのシーケンス図である。なお、「同報電子メールの送信から受信にいたる処理の手順」は、実施例１において、図１２を使って説明した処理の手順と同じであるので、説明を省略する。
【０１１３】
［実施例２における同報電子メールの検索から参照回数の更新にいたる処理の手順］
まず、実施例２における電子メール送受信装置１０（ユーザは社員「Ａさん」）を構成する受信メール検索部１５ａは、入力部１１で入力された「検索キーワード」による検索指示を受け付けると（ステップＳ２２０１）、出力部１２に「検索結果」を出力する（ステップＳ２２０２、図３の（Ｂ）参照）。
【０１１４】
そして、社員「Ａさん」が、図３の（Ｂ）に示す同報電子メールの内容から、「有効期限：２００６年７月２日」と判断した場合は、「有効期限あり」のラジオボタンを入力部１１から選択し、当該有効期限を、入力部１１から入力する（ステップＳ２２０３，図１６の（３）参照）。
【０１１５】
続いて、受信メール検索部１５ａは、目的とする同報電子メールが検索されてユーザによって参照された場合に、検索結果送信用アドレスを用いて、同報電子メールに付与されている同報メール識別番号と有効期限とを検索結果情報として、同報電子メールサーバ装置に送信する（ステップＳ２２０４）。具体的には、「検索結果送信ダイアログ」にある「送信」（図１６の（４）参照）が押下されることにより、受信メール検索部１５ａは、検索結果送信用アドレスを用いて、同報電子メール（タイトル：「停電のお知らせ（７／２）」）に付与されている「同報メール識別番号：００９０５」と「有効期限：２００６／７／２」を検索結果情報（図１７の（Ｂ）参照）として、同報電子メールサーバ装置に送信する。
【０１１６】
そして、同報電子メールサーバ装置２０は、電子メール送受信装置１０から当該電子メールを受信すると（ステップＳ２２０５）、同報メール処理部２３ａは、当該電子メールを検索結果情報と解析し（ステップＳ２２０６）、同報メール処理部２３ａは、当該同報メール識別番号に対応する参照回数と有効期限とを更新して（ステップＳ２２０７）、処理を終了する。具体的には、同報メール一覧表記憶部２２ｂが記憶する一覧表の当該同報メール識別番号に対応する参照回数と有効期限とを更新して記憶する（図２１の（Ｂ）参照）。
【０１１７】
［実施例２における一覧表の要求から参照回数の更新にいたる処理の手順］
まず、実施例２における電子メール送受信装置１０（ユーザは社員「Ｂさん」）における一覧表検索処理部１５ｂは、同報電子メールの属性情報とともに参照回数と有効期限とに係る情報を対応付けて並べた一覧表を要求する「一覧表表示要求」を同報電子メールサーバ装置２０に対して送信すると（ステップＳ２３０１）、同報電子メールサーバ装置２０は、「一覧表表示要求」を受信し（ステップＳ２３０２）、一覧表処理部２３ｂは、受信した「一覧表表示要求」に応じて、同報メール一覧表記憶部２２ｂから取得した一覧表を、有効期限内にある同報電子メールのみを参照回数の多い順に並べ替えて（図１９を参照）、「一覧表表示要求」を送信した電子メール送受信装置１０に対して送信する（ステップＳ２３０３）。
【０１１８】
そして、電子メール送受信装置１０は、同報電子メールサーバ装置２０から一覧表を受信すると（ステップＳ２３０４）、一覧表検索処理部１５ｂは、一覧表から所定の同報電子メールが指定された場合に、当該指定された同報電子メールの内容を同報電子メールサーバ装置２０に要求する（ステップＳ２３０５）。例えば、社員「Ｂさん」が、図１９に示す有効期限内にある同報電子メールのみを参照回数の多い順に並べ替えられた一覧表を閲覧して、有効期限内にある参照回数が一番多い『タイトル：「停電のお知らせ（７／２）」』が目的とする同報電子メールであるとして、入力部１１からこのタイトル文字列を選択押下すると、当該メールの内容の要求する「内容表示要求」を同報電子メールサーバ装置２０に対して送信する。
【０１１９】
続いて、同報電子メールサーバ装置２０は、電子メール送受信装置１０から「内容表示要求」を受信すると（ステップＳ２３０６）、一覧表処理部２３ｂは、受信した「内容表示要求」に応じて、同報電子メール内容記憶部２２ｂから取得した「指定された同報電子メールの内容」（図８を参照）を、「内容表示要求」を送信した電子メール送受信装置１０に対して送信する（ステップＳ２３０７）。
【０１２０】
さらに、一覧表処理部２３ｂは、電子メール送受信装置１０から受信した「内容表示要求」に応じて、当該指定された同報電子メールの同報メール識別番号に対応する参照回数を同報メール一覧表記憶部２２ｂに更新して記憶する（ステップＳ２３０８、図２１の（Ｃ）参照）。
【０１２１】
そして、電子メール送受信装置１０は、同報電子メールサーバ装置２０から指定した同報電子メールの「内容」を受信して（ステップＳ２３０９）、処理を終了する。
【０１２２】
［実施例２の効果］
上記したように、実施例２によれば、同報電子メールサーバ装置２０は、属性情報として、同報電子メールの有効期限をさらに保持し、電子メール送受信装置１０は、ユーザによって指定された有効期限を検索結果情報として同報メール識別番号とともに送信し、同報電子メールサーバ装置２０は、電子メール送受信装置１０が送信した検索結果情報を受信した場合に、同報メール識別番号に該当する同報電子メールの一覧表における参照回数を更新するとともに、有効期限を付加して更新するので、目的とする同報電子メールを検索したメンバによって指定された有効期限が参照回数とともに反映された一覧表を閲覧することで、他のメンバはメンバ全員にとって重要な同報電子メールを有効期限内で検索して内容を確認することができ、大量に蓄積された同報電子メールから目的とする同報電子メールを一層効率的に検索することが可能になる。
【０１２３】
また、実施例２によれば、同報電子メールサーバ装置２０は、有効期限内にある同報電子メールのみを参照回数を利用して順序を並べ替えた一覧表を送信するので、目的とする同報電子メールを検索したメンバによって指定された有効期限が参照回数とともに反映されて、例えば、検索当日以降が有効期限である同報電子メールのみを参照回数の多い順で並べ替えられた一覧表を閲覧することで、他のメンバはメンバ全員にとって重要な同報電子メールを有効期限内で検索して内容を確認することができ、大量に蓄積された同報電子メールから目的とする同報電子メールを一層効率的に検索することが可能になる。
【実施例３】
【０１２４】
さて、これまで実施例１〜２におけるメール検索システムについて説明したが、本発明は上述した実施例以外にも、種々の異なる形態にて実施されてもよいものである。そこで、以下では、実施例３におけるメール検索システムとして、種々の異なる実施例を（１）〜（５）に区分けして説明する。
【０１２５】
（１）有効期限
上記の実施例２では、有効期限内にある同報電子メールのみを参照回数を利用して順序を並べ替えた一覧表を送信する場合を説明したが、本発明はこれに限定されるものではなく、有効期限のみを利用して順序を並べ替えた一覧表を送信する場合であってもよい。
【０１２６】
これにより、目的とする同報電子メールを検索したメンバによって指定された有効期限が参照回数とともに反映されて、例えば、有効期限の近い順から並べ替えられた一覧表を閲覧することで、他のメンバはメンバ全員にとって重要な同報電子メールを有効期限内で検索して内容を確認することができ、大量に蓄積された同報電子メールから目的とする同報電子メールを一層効率的に検索することが可能になる。
【０１２７】
（２）参照回数
上記の実施例１と２では、参照回数の多い順に順序を並べ替えた一覧表を送信する場合を説明したが、本発明はこれに限定されるものではなく、例えば、参照回数の多い上位１０個のみを表示した一覧表や、最近１週間に参照された同報電子メールを表示した一覧表を送信する場合であってもよい。  
【０１２８】
（３）同報電子メール
上記の実施例１と２では、同報電子メールを検索する場合を説明したが、本発明はこれに限定されるものではなく、例えば、総務部「Ｘさん」が社員「Ａさん」に送信した電子メールを、社員「Ａさん」が他のメンバに転送して情報を共有する場合であってもよい。例えば、社員「Ａさん」が所有する電子メール送受信装置に、社員「Ａさん」が他の社員に当該電子メールを転送する際に、転送する電子メールを一意に特定できる「転送メール識別番号」を付加するなどのメールサーバ装置の機能を備えさせて、「転送メール識別番号」を用いて、同報電子メールの検索と同様に、検索結果情報の受信処理や参照回数の更新処理などの処理を行えばよい。
【０１２９】
（４）システム構成等
また、上記の実施例において説明した各処理のうち、自動的におこなわれるものとして説明した処理の全部または一部を手動でおこなうこともでき（例えば、キーボードやタッチパネルから一覧表の要求を受け付けるのではなく、一定時間ごと自動的に一覧表の要求を生成するなど）、あるいは、手動的におこなうものとして説明した処理の全部または一部を公知の方法で自動的におこなうこともできる。例えば、この他、上記文章中や図面中で示した処理手順、具体的名称、各種のデータやパラメータを含む情報（例えば、一覧表生成における「並べ替え」条件など）については、特記する場合を除いて任意に変更することができる。
【０１３０】
また、図示した各装置の各構成要素は機能概念的なものであり、必ずしも物理的に図示の如く構成されていることを要しない。すなわち、各処理部および各記憶部の分散・統合の具体的形態（例えば、図９の形態など）は図示のものに限られず、例えば、受信メール検索部１５ａと一覧表検索処理部１５ｂとを統合するなど、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１３１】
（５）メール検索プログラム
ところで上記の実施例１〜２では、ハードウェアロジックによって各種の処理を実現する場合を説明したが、本発明はこれに限定されるものではなく、あらかじめ用意されたプログラムをコンピュータで実行するようにしてもよい。そこで以下では、図２４を用いて、上記の実施例１に示したメール検索システムと同様の機能を有するメール検索プログラムを実行するコンピュータの一例を説明する。図２４は、実施例１のメール検索プログラムを実行するコンピュータを示す図である。
【０１３２】
図２４に示すように、情報処理装置としてのコンピュータ２４０とコンピュータ２５０とは、ネットワークを介して接続され、上述した実施例１におけるメール検索処理を行う。
【０１３３】
図２４に示すように、情報処理装置としてのコンピュータ２４０は、キーボード２４１、ディスプレイ２４２、ＣＰＵ２４３、ＲＯＭ２４４、ＨＤＤ２４５、ＲＡＭ２４６および通信制御部１６をバス２４７などで接続して構成される。
【０１３４】
ＲＯＭ２４４には、上記の実施例１に示した電子メール送受信装置１０と同様の機能を発揮するメール検索プログラム、つまり、図２４に示すように、受信メール検索プログラム２４４ａ、一覧表検索処理プログラム２４４ｂが予め記憶されている。なお、これらのプログラム２４４ａおよび２４４ｂについては、図２に示した電子メール送受信装置１０の各構成要素と同様、適宜統合または分散してもよい。
【０１３５】
そして、ＣＰＵ２４３が、これらのプログラム２４４ａおよび２４４ｂをＲＯＭ２４４から読みだして実行することで、図２４に示すように、各プログラム２４４ａおよび２４４ｂは、受信メール検索プロセス２４３ａ、一覧表検索処理プロセス２３４ｂとして機能するようになる。なお、各プロセス２４３ａおよび２４３ｂは、図２に示した、受信メール検索部１５ａ、一覧表検索処理部１５ｂにそれぞれ対応する。
【０１３６】
また、ＨＤＤ２４５には、図２４に示すように、送受信メールデータ２４５ａと、重要メール一覧表データ２４５ｂと、重要メール内容データ２４５ｃとが設けられる。そしてＣＰＵ２４３は、送受信メールデータ２４６ａを送受信メールデータ２４５ａに対して登録し、重要メール一覧表データ２４６ｂを重要メール一覧表データ２４５ｂに対して登録し、重要メール内容データ２４６ｃを重要メール内容データ２４５ｃに対して登録し、この送受信メールデータ２４６ａと、重要メール一覧表データ２４６ｂと、重要メール内容データ２４６ｃとに基づいてメール検索処理を実行する。
【０１３７】
なお、上記した各プログラム２４４ａおよび２４４ｂについては、必ずしも最初からＲＯＭ２４４に記憶させておく必要はなく、例えばコンピュータ２４０に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、コンピュータ２４０の内外に備えられるＨＤＤなどの「固定用物理媒体」、さらには、公衆回線、インターネット、ＬＡＮ、ＷＡＮなどを介してコンピュータ２４０に接続される「他のコンピュータ（またはサーバ）」などに各プログラムを記憶させておき、コンピュータ２４０がこれらから各プログラムを読み出して実行するようにしてもよい。
【０１３８】
また、図２４に示すように、情報処理装置としてのコンピュータ２５０は、ＣＰＵ２５１、ＲＯＭ２５２、ＨＤＤ２５３、ＲＡＭ２５４および通信制御部２１をバス２５５などで接続して構成される。
【０１３９】
ＲＯＭ２５２には、上記の実施例１に示した同報電子メールサーバ装置２０と同様の機能を発揮するメール検索プログラム、つまり、図２４に示すように、同報メール処理プログラム２５２ａ、一覧表処理プログラム２５２ｂが予め記憶されている。なお、これらのプログラム２５２ａおよび２５２ｂについては、図９に示した同報電子メールサーバ装置２０の各構成要素と同様、適宜統合または分散してもよい。
【０１４０】
そして、ＣＰＵ２５１が、これらのプログラム２５２ａおよび２５２ｂをＲＯＭ２５２から読みだして実行することで、図２４に示すように、各プログラム２５２ａおよび２５２ｂは、同報メール処理プロセス２５１ａ、一覧表処理プロセス２５１ｂとして機能するようになる。なお、各プロセス２５１ａおよび２５１ｂは、図９に示した、同報メール処理部２３ａ、一覧表処理部２３ｂにそれぞれ対応する。
【０１４１】
また、ＨＤＤ２５３には、図２４に示すように、同報メールアドレスデータ２５３ａと、同報メール一覧表データ２５３ｂと、同報メール内容データ２５３ｃとが設けられる。そしてＣＰＵ２５１は、同報メールアドレスデータ２５４ａを同報メールアドレスデータ２５３ａに対して登録し、同報メール一覧表データ２５４ｂを同報メール一覧表データ２５３ｂに対して登録し、同報メール内容データ２５４ｃを同報メール内容データ２５３ｃに対して登録し、この同報メールアドレスデータ２５４ａと、同報メール一覧表データ２５４ｂと、同報メール内容データ２５４ｃとに基づいてメール検索処理を実行する。
【０１４２】
なお、上記した各プログラム２５２ａおよび２５２ｂについては、必ずしも最初からＲＯＭ２５２に記憶させておく必要はなく、例えばコンピュータ２５０に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、コンピュータ２５０の内外に備えられるＨＤＤなどの「固定用物理媒体」、さらには、公衆回線、インターネット、ＬＡＮ、ＷＡＮなどを介してコンピュータ２５０に接続される「他のコンピュータ（またはサーバ）」などに各プログラムを記憶させておき、コンピュータ２５０がこれらから各プログラムを読み出して実行するようにしてもよい。
【０１４３】
（付記１）電子メールを送受信するとともに、受信した前記電子メールを蓄積し、蓄積した前記電子メールから目的とする前記電子メールを検索する電子メール送受信装置と、同じ内容の前記電子メールが複数の人に同時に配信される同報電子メールを受信して、当該同報電子メールを一意に特定できる識別番号を付与して複数の前記電子メール送受信装置へ送信する同報電子メールサーバ装置とを含んで構成されるメール検索システムであって、
前記電子メール送受信装置は、
前記電子メール送受信装置によって検索されてユーザによって参照された前記同報電子メールに付与されている前記識別番号を検索結果情報として前記同報電子メールサーバ装置に送信する検索結果情報送信手段を備え、
前記同報電子メールサーバ装置は、
前記識別番号に対応付けて、前記同報電子メールが参照された回数を示す参照回数を記憶する参照回数記憶手段と、
前記検索結果情報送信手段によって前記電子メール送受信装置から前記検索結果情報として前記識別番号を受信した場合に、前記参照回数記憶手段が記憶する当該識別番号に対応する参照回数を更新して記憶する参照回数管理手段と、
前記参照回数記憶手段が記憶する前記参照回数に応じて、前記識別番号に対応する前記同報電子メールの内容を前記電子メール送受信装置に送信する内容送信手段と、
を備えたことを特徴とするメール検索システム。
【０１４４】
（付記２）前記電子メール送受信装置は、
前記同報電子メールの属性情報とともに前記参照回数に係る情報を対応付けて並べた一覧表を前記同報電子メールサーバ装置に要求する一覧表要求手段と、
前記一覧表要求手段による要求に応じて前記同報電子メールサーバ装置から取得した前記一覧表を出力し、所定の前記同報電子メールが指定された場合に、当該指定された同報電子メールの内容を前記同報電子メールサーバ装置に要求する内容要求手段とをさらに備え、
前記同報電子メールサーバ装置は、
前記一覧表要求手段による前記電子メール送受信装置からの要求に応じて、前記一覧表を当該電子メール送受信装置に送信する一覧表送信手段をさらに備え、
前記内容送信手段は、前記内容要求手段による前記電子メール送受信装置からの要求に応じて、前記指定された同報電子メールの内容を当該電子メール送受信装置に送信することを特徴とする付記１に記載のメール検索システム。
【０１４５】
（付記３）前記参照回数管理手段は、前記内容要求手段から前記指定された同報電子メールの内容の要求を受信した場合にも、当該指定された同報電子メールの識別番号に対応する参照回数を更新して記憶することを特徴とする付記２に記載のメール検索システム。
【０１４６】
（付記４）前記同報電子メールサーバ装置は、前記同報電子メールを前記電子メール送受信装置に送信する際に、前記検索結果情報を前記同報電子メールサーバ装置に前記電子メール送受信装置から返信するための検索結果送信用アドレスをさらに付加して送信し、
前記検索結果情報送信手段は、前記検索結果送信用アドレスを用いて前記検索結果情報を前記同報電子メールサーバ装置に送信することを特徴とする付記３に記載のメール検索システム。
【０１４７】
（付記５）前記参照回数記憶手段は、前記属性情報として、前記同報電子メールの有効期限をさらに保持し、
前記検索結果情報送信手段は、前記ユーザによって指定された前記有効期限を前記検索結果情報として前記識別番号とともに送信し、
前記参照回数管理手段は、前記検索結果情報送信手段によって電子メール送受信装置が送信した前記検索結果情報を受信した場合に、前記識別番号に該当する前記同報電子メールの前記一覧表における前記参照回数を更新するとともに、前記有効期限を付加して更新することを特徴とする付記３に記載のメール検索システム。
【０１４８】
（付記６）前記一覧表送信手段は、前記参照回数を利用して順序を並べ替えた前記一覧表を送信することを特徴とする付記３に記載のメール検索システム。
【０１４９】
（付記７）前記一覧表送信手段は、前記有効期限を利用して順序を並べ替えた前記一覧表を送信することを特徴とする付記３に記載のメール検索システム。
【０１５０】
（付記８）前記一覧表送信手段は、前記有効期限内にある前記同報電子メールのみを前記参照回数を利用して順序を並べ替えた前記一覧表を送信することを特徴とする付記３に記載のメール検索システム。
【０１５１】
（付記９）電子メールを送受信するとともに、受信した前記電子メールを蓄積し、蓄積した前記電子メールから目的とする前記電子メールを検索する電子メール送受信装置と、同じ内容の前記電子メールが複数の人に同時に配信される同報電子メールを受信して、当該同報電子メールを一意に特定できる識別番号を付与して複数の前記電子メール送受信装置へ送信する同報電子メールサーバ装置とを含んで構成されるメール検索方法であって、
前記電子メール送受信装置は、
前記電子メール送受信装置によって検索されてユーザによって参照された前記同報電子メールに付与されている前記識別番号を検索結果情報として前記同報電子メールサーバ装置に送信する検索結果情報送信工程を含み、
前記同報電子メールサーバ装置は、
前記識別番号に対応付けて、前記同報電子メールが参照された回数を示す参照回数を記憶する参照回数記憶工程と、
前記検索結果情報送信工程によって前記電子メール送受信装置から前記検索結果情報として前記識別番号を受信した場合に、前記参照回数記憶工程が記憶する当該識別番号に対応する参照回数を更新して記憶する参照回数管理工程と、
前記参照回数記憶工程が記憶する前記参照回数に応じて、前記識別番号に対応する前記同報電子メールの内容を前記電子メール送受信装置に送信する内容送信工程と、
を含んだことを特徴とするメール検索方法。
【０１５２】
（付記１０）電子メールを送受信するとともに、受信した前記電子メールを蓄積し、蓄積した前記電子メールから目的とする前記電子メールを検索する電子メール送受信装置と、同じ内容の前記電子メールが複数の人に同時に配信される同報電子メールを受信して、当該同報電子メールを一意に特定できる識別番号を付与して複数の前記電子メール送受信装置へ送信する同報電子メールサーバ装置とを含んで構成されるメール検索方法をコンピュータに実行させるメール検索プログラムであって、
前記電子メール送受信装置は、
前記電子メール送受信装置によって検索されてユーザによって参照された前記同報電子メールに付与されている前記識別番号を検索結果情報として前記同報電子メールサーバ装置に送信する検索結果情報送信手順をコンピュータに実行させ、
前記同報電子メールサーバ装置は、
前記識別番号に対応付けて、前記同報電子メールが参照された回数を示す参照回数を記憶する参照回数記憶手順と、
前記検索結果情報送信手順によって前記電子メール送受信装置から前記検索結果情報として前記識別番号を受信した場合に、前記参照回数記憶手順が記憶する当該識別番号に対応する参照回数を更新して記憶する参照回数管理手順と、
前記参照回数記憶手順が記憶する前記参照回数に応じて、前記識別番号に対応する前記同報電子メールの内容を前記電子メール送受信装置に送信する内容送信手順と、
をコンピュータに実行させることを特徴とするメール検索プログラム。
【産業上の利用可能性】
【０１５３】
以上のように、本発明に係るメール検索システム、メール検索方法およびメール検索プログラムは、蓄積された電子メールから目的とする電子メールを検索する場合に有用であり、特に、大量に蓄積された同報電子メールから目的とする同報電子メールを効率的に検索することに適する。
【図面の簡単な説明】
【０１５４】
【図１】実施例１におけるメール検索システムの概要および特徴を説明するための図である。
【図２】実施例１における電子メール送受信装置の構成を示すブロック図である。
【図３】実施例１における受信メール検索部による検索処理を説明するための図である。
【図４】実施例１における受信メール検索部による検索結果情報の送信処理を説明するための図である。
【図５】実施例１における検索結果情報の内容を説明するための図である。
【図６】実施例１における一覧表検索処理部を説明するための図である。
【図７】実施例１における重要メール一覧表記憶部を説明するための図である。
【図８】重要メール内容記憶部を説明するための図である。
【図９】実施例１における同報電子メールサーバ装置の構成を示すブロック図である。
【図１０】実施例１における同報メール一覧表記憶部を説明するための図である。
【図１１】実施例１における同報メール処理部および一覧表処理部を説明するための図である。
【図１２】同報電子メールの送信から受信にいたる処理を説明するためのシーケンス図である。
【図１３】実施例１における同報電子メールの検索から参照回数の更新にいたる処理を説明するためのシーケンス図である。
【図１４】実施例１における一覧表の要求から参照回数の更新にいたる処理を説明するためのシーケンス図である。
【図１５】実施例２におけるメール検索システムの概要および特徴を説明するための図である。
【図１６】実施例２における受信メール検索部による検索結果情報の送信処理を説明するための図である。
【図１７】実施例２における検索結果情報の内容を説明するための図である。
【図１８】実施例２における一覧表検索処理部を説明するための図である。
【図１９】実施例２における重要メール一覧表記憶部を説明するための図である。
【図２０】実施例２における同報メール一覧表記憶部を説明するための図である。
【図２１】実施例２における同報メール処理部および一覧表処理部を説明するための図である。
【図２２】実施例２における同報電子メールの検索から参照回数の更新にいたる処理を説明するためのシーケンス図である。
【図２３】実施例２における一覧表の要求から参照回数の更新にいたる処理を説明するためのシーケンス図である。
【図２４】実施例１のメール検索プログラムを実行するコンピュータを示す図である。
【符号の説明】
【０１５５】
１０  電子メール送受信装置
１１  入力部
１２  出力部
１３  入出力制御Ｉ／Ｆ部
１４  記憶部
１４ａ  送受信メール記憶部
１４ｂ  重要メール一覧表記憶部
１４ｃ  重要メール内容記憶部
１５  制御部
１５ａ  受信メール検索部
１５ｂ  一覧表検索処理部
１６  通信制御部
２０  同報電子メールサーバ装置
２１  通信制御部
２２  記憶部
２２ａ  同報メールアドレス記憶部
２２ｂ  同報メール一覧表記憶部
２２ｃ  同報メール内容記憶部
２３  制御部
２３ａ  同報メール処理部
２３ｂ  一覧表処理部
【図１】
2008141420.tif 000003
【図２】
2008141420.tif 000004
【図３】
2008141420.tif 000005
【図４】
2008141420.tif 000006
【図５】
2008141420.tif 000007
【図６】
2008141420.tif 000008
【図７】
2008141420.tif 000009
【図８】
2008141420.tif 000010
【図９】
2008141420.tif 000011
【図１０】
2008141420.tif 000012
【図１１】
2008141420.tif 000013
【図１２】
2008141420.tif 000014
【図１３】
2008141420.tif 000015
【図１４】
2008141420.tif 000016
【図１５】
2008141420.tif 000017
【図１６】
2008141420.tif 000018
【図１７】
2008141420.tif 000019
【図１８】
2008141420.tif 000020
【図１９】
2008141420.tif 000021
【図２０】
2008141420.tif 000022
【図２１】
2008141420.tif 000023
【図２２】
2008141420.tif 000024
【図２３】
2008141420.tif 000025
【図２４】
2008141420.tif 000026